(57)【要約】【課題】従来の墜落防止用ランヤードは専用性が高く、高所作業時の墜落防止にしか使用される事は無かった。長さ調節可能なものは金属製の器具が追加され重く、装着する作業者にとって重量増は身体的負担である。  墜落防止を必要とする高所や危険箇所は、近づくのが困難な場合が多く、作業者が止血を必要とする負傷した場合、作業者本人が常に身につけている物か、使用している器具についているもので応急処置できる事が望ましい。  本発明は以上の問題点の解決を目的とする。【解決手段】伸縮可能なランヤードを用い、ランヤードの両端から延長するように複数のループを配したループ帯を設け、既存の留め具を取り付けられるようにしたことを特徴とする、止血帯として使用可能なループ帯付多用途ランヤード。【選択図】図１
2012245337.tif 000002
【特許請求の範囲】
【請求項１】
繊維性中空平型ウェビングを伸縮性の心材と組み合わせた伸縮可能なランヤードを用い、ランヤードの両端から延長するように複数のループを配したループ帯を設け、既存の留め具を取り付けられるようにし、ループ帯の左右両端の一端を、身体側に装着する為のループをメインループとし、他端に器具を装着する為のループをエンドループとし、メインループとエンドループのそれぞれの端より内側に向かって複数配置されたループをギアループとし、各個のギアループ仕切りは、高い加重がかかると縫い目が裂ける事ができる縫製とし、伸縮可能なランヤードの両端は、高い加重に耐える事のできる縫製の強化縫製部を介してループ帯とつながる事を特徴とする、止血帯として使用可能なループ帯付多用途ランヤード。
【発明の詳細な説明】
【技術分野】
【０００１】  本発明は伸縮性のある墜落防止用ランヤードに、既存の留め具を取り付けるための、ギアループを複数配したループ帯を設けた、器具搬送用スリングや、止血帯として使用可能なループ帯付多用途ランヤードに関するものである。
【背景技術】
【０００２】  従来、墜落防止用ランヤードは、高所作業等の墜落防止以外に使われていない。既存の安全帯と組み合わされ、長さ調節が可能な物には金属製の調整器具が付いたものがある（特許文献１参照）。一般的なランヤードの留め具は取り外す事ができない物が多い。また、止血帯として使用可能な墜落防止用ランヤードは市場に見当たらない。既存の留め具にはカラビナ、スナップシャックル、ナス環などがよく知られている。
【先行技術文献】
【特許文献】
【０００３】
【特許文献１】  特許公開２００９−１６０３２９号公報
【発明の概要】
【発明が解決しようとする課題】
【０００４】  従来の墜落防止用ランヤードは専用性が高く、高所作業時の墜落防止にしか使用される事は無かった。既存の安全帯と組み合わされ、長さ調節可能なものは金属製の器具が追加され重く、複数の部品から成るため構造が複雑になり、高価になる。装着する作業者にとって重量増は身体的負担である。留め具が取り外せない物は、作業に適した留め具の種類変更ができない。
墜落防止を必要とする高所や危険箇所は、近づく事が困難な場合が多く、多数の器具の携行や搬入は困難である。よって、作業者が止血を必要とする負傷をした場合でも、医療機関ですみやかに処置を受ける事は難しく、作業者本人が常に身につけている物か、使用している器具についているもので応急処置できることが望ましい。
本発明は以上の問題点を解決するものである。
【課題を解決するための手段】
【０００５】  繊維性中空平型ウェビングを伸縮性の心材と組み合わせた伸縮可能なランヤードを用い、ランヤードの両端から延長するように複数のループを配したループ帯を設け、既存の留め具を取り付けられるようにする。
ループ帯の左右両端の一端を、身体側に装着する為のループをメインループとし、他端に器具を装着する為のループをエンドループとする。メインループとエンドループのそれぞれの端より内側に向かって複数配置されたループをギアループとし、各個のギアループ仕切りは、高い加重がかかると縫い目が裂ける事ができる縫製とする。伸縮可能なランヤードの両端は、高い加重に耐える事のできる縫製の強化縫製部を介してループ帯とつながる。
【発明の効果】
【０００６】  伸縮性のある墜落防止用ランヤードの両側に、複数のループを配したループ帯を設けた事により、使用者によって様々な使い方が選択できるようになり、専用性が排除され、利便性、携帯性が高まり、作業者の携行器具数を減少させ、軽量化することができる。また、単純な構造のため厚手の手袋をしたままでも操作できるので、環境や使用状況を問わない。
基本構造に専用の留め具を含まず、既存の留め具を選択して取り付けるので、作業状況に適した留め具が選択でき、余分な器具の購入や、維持管理の必要がなくなり、作業効率や費用対効果もあがる。また、縫製のみで作成できる単純な構造のため、生産時の作業行程も少なく、コストを抑える事ができる。
高所や危険箇所で作業者が、止血が必要な負傷をした場合、本人や付近の関係者が常に身につけているか、使用している器具についている本発明品を活用して直接圧迫止血の応急処置ができる。
【図面の簡単な説明】
【０００７】
【図１】本発明の斜視図
【図２】本発明に既存の留め具を取り付けた状態を示す斜視図
【図３】本発明を墜落防止用ランヤードとして使用した実施例を示す斜視図
【図４】本発明を器具搬送用スリングとして使用した実施例を示す斜視図
【図５】本発明を輪状にして器具搬送用スリングとして使用した実施例を示す斜視図
【図６】本発明を止血帯として使用を開始した状態を示す斜視図
【図７】本発明を止血帯として使用した状態を示す斜視図
【発明を実施するための形態】
【０００８】  本発明の実施の形態を説明する。
図１に示すように、ループ帯付多用途ランヤード（１）は繊維性中空平型のウェビングの中間部をたぐり蛇腹状にして、その中空部に伸縮性の心材を設け、その両端を縫製固定し、伸縮可能なランヤード（６）とする。ランヤード（６）の両側のウェビングの各端はランヤード（６）の両端まで折り返えし、高い加重に耐えることのできる縫製の強化縫製部（８）で固定し、その固定部より外側に向かって既存の留め具を取り付けるためのギアループ（７）を複数配したループ帯Ａ（３）及び、ループ帯Ｂ（５）を縫製にて設ける。各個のギアループ仕切り（９）は、高い加重がかかると縫い目が裂ける事ができるものとする。ループ帯Ａ（３）の外側の端を、身体に装着する側のメインループ（２）とし、ループ帯Ｂ（５）の外側の端を、器具に装着する側のエンドループ（４）とする。
本発明は以上の様な構成である。
【０００９】  これを実際に使用する例として、高所作業時の墜落防止用ランヤードとしては、図３に示すように、メインループ（２）及びエンドループ（４）に強度のあるカラビナ（１０）などの既存の留め具を取り付け、既存の安全帯（１１）などに取り付けて使用する。
伸縮可能なランヤード（６）の伸縮の効果により引っぱり感で墜落の危険のある区域への接近を感知でき、作業中の余分な弛みをなくし、引っかかりや引きずりによるトラブルを解消する。
長さ調整は図２に示すように、ループ帯Ｂのギアループ（７）へ、強度のあるカラビナ（１０）などの既存の留め具を取り付ける位置を選択しておこなう。ギアループ（７）を活用すれば、誤って墜落して高い加重がかかった場合でもギアループ仕切り（９）が裂けることによって衝撃が吸収され、強度のあるエンドループ（４）で止まる。
なお、留め具をギアループ仕切り（９）のみに取り付ける事は、高い加重がかかったときに縫い目が裂けて解放し、墜落するので禁忌とする。
【００１０】  器具搬送用スリングとしては、図４に示すように、メインループ（２）及びエンドループ（４）にカラビナ（１０）などの既存の留め具を取り付けて、直接各種器具に取り付けて使用する。
または、図５に示すように、メインループ（２）及びループ帯Ｂ（５）の任意の位置にカラビナ（１０）などの既存の留め具を取り付けて、メインループ（１）の留め具をループ帯Ｂ（５）のギアループ（７）の任意の位置に掛けて、輪状にして、肩掛け、または首掛けにして身体に装着、ループ帯Ｂ（５）の留め具を各種器具に取り付けて使用する。ギアループ（７）の位置の選択により弛みを調整し、ランヤード（６）の伸縮の効果により、使用時および脱着時の引っかかりがなくなり操作性が向上する。
【００１１】  止血帯としては、メインループ（２）に既存のカラビナ（１０）を取り付けて使用する。
太ももの出血部を例として、図６及び図７に示すように、出血部に清潔な厚手の布（１２）を当て、その上に取り付けたカラビナ（１０）を添え、ループ帯Ｂ（５）を太ももに沿って回りこませ、カラビナ（１０）に通し、折り返して引き、出血部のうえに巻きつけていき、エンドループ（４）の端を巻き付けた部分に挟み込み固定する。ランヤード（６）の伸縮性と平面、カラビナの側面を活用して、直接圧迫止血の効果を得ることができる。
【符号の説明】
【００１２】１  ループ帯付多用途ランヤード
２  メインループ
３  ループ帯Ａ
４  エンドループ
５  ループ帯Ｂ
６  ランヤード
７  ギアループ
８  強化縫製部
９  ギアループ仕切り
１０  カラビナ
１１  安全帯
１２  清潔な厚手の布
【図１】
2012245337.tif 000003
【図２】
2012245337.tif 000004
【図３】
2012245337.tif 000005
【図４】
2012245337.tif 000006
【図５】
2012245337.tif 000007
【図６】
2012245337.tif 000008
【図７】
2012245337.tif 000009